(57)【要約】      （修正有）【課題】構造が簡易で故障率が低く、かつ低製造コストである回転工具の取り扱い体感装置を提供する。【解決手段】スペーサを介して並設された第１部材２０および第２部材３０により、回転工具５０の回転体５２が進入可能な回転体進入部６０が形成された回転工具取り扱い体感装置であって、回転体進入部６０は、回転体進入部の奥行方向に進むにつれて徐々に幅狭に形成されている。【選択図】図５
0003214361.tif 000002
【実用新案登録請求の範囲】
【請求項１】
スペーサを介して並設された第１部材および第２部材により、回転工具の回転体が進入可能な回転体進入部が形成された回転工具取り扱い体感装置であって、
前記回転体進入部は、前記回転体進入部の奥行方向に進むにつれて徐々に幅狭に形成されていることを特徴とする回転工具取り扱い体感装置。
【請求項２】
前記スペーサがテーパーワッシャであることを特徴とする請求項１記載の回転工具取り扱い体感装置。
【請求項３】
前記第１部材および前記第２部材と前記スペーサは、テーブルの天板の上に積層されていることを特徴とする請求項１または２記載の回転工具取り扱い体感装置。
【請求項４】
前記天板の側方外周縁には起立部が立設されていて、当該起立部には緩衝材が配設されていることを特徴とする請求項３記載の回転工具取り扱い体感装置。
【請求項５】
前記第１部材および前記第２部材における前記回転体進入部の開口側の面には、前記回転体進入部に前記回転体を進入させる位置を示すための回転体進入位置指示体が配設されていることを特徴とする請求項１〜４のうちのいずれか一項に記載の回転工具取り扱い体感装置。
【請求項６】
前記回転体進入位置指示体は、前記回転体進入部の延長方向における中間位置に配設されていることを特徴とする請求項５記載の回転工具取り扱い体感装置。
【考案の詳細な説明】
【技術分野】
【０００１】
本考案は回転工具取り扱い体感装置に関する。
【背景技術】
【０００２】
グラインダ等に代表される回転工具は、取り扱い方法を誤ると事故につながるおそれがある。このような回転工具の取り扱い時における事故については、講師等によって予め使用者に説明が行われていることが多い。しかしながら、ほとんどの使用者はそのような事故を当事者問題としてとらえることが難しい。そこで、使用者の安全を確保した状態で回転工具を取り扱う上での事故を使用者に体感させることにより、使用者の回転工具の取り扱い方法に対する安全意識を高めることができる。このような体感装置としては、特許文献１（特許第５８０９５４３号公報）に開示されているようなものが公知である。
【先行技術文献】
【特許文献】
【０００３】
【特許文献１】特許第５８０９５４３号公報
【考案の概要】
【考案が解決しようとする課題】
【０００４】
特許文献１に開示されている手持ち回転工具の安全体感装置は、手持ち回転工具の持ち手部と回転刃相当部を有する工具本体と、回転刃相当部と疑似被加工物の接触時における物理的変位を感知する感知部と、回転刃相当部と疑似被加工物の接触における回転刃相当部の接線方向に工具本体を移動させるアクチュエータと、感知部により感知された物理的変位に基づいてアクチュエータを作動させるための信号を出力する制御部を備えている。アクチュエータによって工具本体を移動させることで、使用者に回転工具がキックバックされた状態を体感させることが可能になる。
【０００５】
しかしながら、特許文献１に記載されている手持ち回転工具の安全体感装置は、感知部やアクチュエータに加え、感知部の感知結果に基づいてアクチュエータを作動させる制御部を具備しているため、構造が複雑になってしまう。これにより、手持ち回転工具の安全体感装置の故障率や製造コストが高くなってしまうといった課題を有している。
【課題を解決するための手段】
【０００６】
そこで本考案は、構造が簡易で故障率が低く、かつ低製造コストである回転工具の取り扱い体感装置の提供を目的としている。
【０００７】
上記課題を解決するために本考案者は鋭意研究を行った結果、以下の構成に想到した。すなわち、スペーサを介して並設された第１部材および第２部材により、回転工具の回転体が進入可能な回転体進入部が形成された回転工具取り扱い体感装置であって、前記回転体進入部は、前記回転体進入部の奥行方向に進むにつれて徐々に幅狭に形成されていることを特徴とする回転工具取り扱い体感装置である。
【０００８】
これにより、構造が簡易で故障率が低く、かつ低製造コストの回転工具取り扱い体感装置の提供が可能になる。
【０００９】
また、前記スペーサがテーパーワッシャであることが好ましい。
【００１０】
これにより、回転体進入部の形成や幅寸法の調整が容易になると共に、回転体進入部の延長方向における幅寸法を一定に維持することができる。
【００１１】
また、前記第１部材および前記第２部材と前記スペーサは、テーブルの天板の上に積層されていることが好ましい。
【００１２】
これにより、回転工具取り扱い体感装置の使い勝手を向上させることができると共に、回転工具の整理整頓を行うことができる。
【００１３】
また、前記天板の側方外周縁には起立部が立設されていて、当該起立部には緩衝材が配設されていることが好ましい。
【００１４】
これにより、使用者の安全がさらに確保された状態でキックバックを体感することができる。
【００１５】
また、前記第１部材および前記第２部材における前記回転体進入部の開口側の面には、前記回転体進入部に前記回転体を進入させる位置を示すための回転体進入位置指示体が配設されていることが好ましい。
【００１６】
これにより適切な位置でキックバックを体感することができる。
【００１７】
また、前記回転体進入位置指示体は、前記回転体進入部の延長方向における中間位置に配設されていることが好ましい。
【００１８】
これにより、右利きの使用者や左利きの使用者のどちらにも対応することができる。
【考案の効果】
【００１９】
上記構成を採用することにより、構造が簡易で故障率が低く、かつ低製造コストの回転工具取り扱い体感装置の提供が可能になる。
【図面の簡単な説明】
【００２０】
【図１】本実施形態における回転工具取り扱い体感装置の斜視図である。
【図２】本実施形態における回転工具取り扱い体感装置の要部拡大斜視図である。
【図３】本実施形態におけるスペーサとしてのテーパーワッシャの斜視図である。
【図４】図２内のＩＶ−ＩＶ線における端面図である。
【図５】回転体進入部に回転工具の回転体を進入させた状態を示す斜視図である。
【図６】キックバックにより回転体進入部から回転体が飛び出した状態を示す斜視図である。
【考案を実施するための形態】
【００２１】
以下、本実施形態における回転工具取り扱い体感装置について図面に基づいて具体的に説明する。図１および図２に示すように、本実施形態における回転工具取り扱い体感装置１００は、スペーサ１０を介して上下方向に並設された（積層された）第１部材２０および第２部材３０がテーブル４０の天板４２の上に載置されてなる。第１部材２０と第２部材３０との積層方向における対向面には、スペーサ１０により、回転工具５０の回転体５２が進入可能な回転体進入部６０が形成されている。
【００２２】
第１部材２０および第２部材３０は、いずれも断面が略矩形をなす支柱により形成されていて、本実施形態においては市販の電設資材（支柱）を採用した。第１部材２０および第２部材３０は、少なくとも正面と互いの対向面が直交するように形成されたものであればよい。第１部材２０はテーブル４０の天板４２の上に載置され、第２部材３０は第１部材２０の上面に配設されたスペーサ１０の上に載置されている。本実施形態においては、図３に示すようにテーパーワッシャをスペーサ１０として用いている。スペーサ１０は、回転体進入部６０の開口側をＨ１側とし、回転体進入部６０の奥行側がＨ２となるように配設されている。これにより、図４に示すように、回転体進入部６０は開口側（手前側）から奥行方向に進むにつれて徐々に幅狭（低くなるよう）に形成されることになる。
【００２３】
本実施形態においては、図１および図２に示すように、第１部材２０および第２部材３０における回転体進入部６０の開口側の面には、回転体進入部６０に回転工具５０の回転体５２を進入させる位置を示すための回転体進入位置指示体７０が配設されている。ここでは、回転体進入部６０の延長方向である第１部材２０および第２部材３０の長手方向の中間位置に第１指示体７２を配設し、第１指示体７２の右端側の所要範囲に第２指示体７４を配設している。第１指示体７２は着色部であり、第１部材２０と第２部材３０のそれぞれ（回転体進入部６０）に対して長手方向にスライド移動可能に装着されている。第２指示体７４は回転体進入部６０の位置を示す矢印マーク部に形成されていて、第１指示体７２に貼付されている。第１指示体７２が回転体進入部６０の長手方向にスライド移動可能になっているので、使用する回転工具５０により第１指示体７２の位置を調整することで、緩衝材としての緩衝材シート８０およびＬ字型緩衝材シート８２との距離を適宜調整することができる。
【００２４】
また、テーブル４０の天板４２の側方外周縁には起立部４４が立設されている。起立部４４には回転体進入部６０よりも手前側における起立部４４の内側面の所要範囲を被覆するように緩衝材シート８０が配設されている。また、緩衝材シート８０の配設部分のうち一部には起立部４４の上面を所要範囲にわたって被覆するようにＬ字型緩衝材シート８２が配設されている。緩衝材シート８０およびＬ字型緩衝材シート８２は、予め実験により算出したキックバック現象が発生した際において回転工具５０が弾かれる距離に配設することが好ましい。また、テーブル４０の天板４２には必要に応じてゴムシート等に代表される天板保護材９０を配設してもよい。
【００２５】
このように本実施形態における回転工具取り扱い体感装置１００は極めて簡易な構成であるから、故障の発生率が低く、かつ低製造コストでの提供が可能である。
【００２６】
次に、以上に説明した本実施形態における回転工具取り扱い体感装置１００の使用方法について説明する。ここでは、グラインダを回転工具５０として用いた形態について説明する。図５に示すように、使用者は回転体進入位置指示体７０を目安にして、回転工具５０の回転体５２（グラインダの回転砥石）を回転させた状態で回転体進入部６０に進入させる。回転体進入部６０は、開口側におけるスリット幅（第１部材２０と第２部材３０の隙間高さ）が回転体５２の厚さ寸法よりも幅広（高く）形成されている。このため、回転体５２を回転体進入部６０に浅く進入させた状態では回転体５２と第１部材２０および第２部材３０とは非接触の状態になり、回転体５２が回転体進入部６０に差し込まれただけの状態になる。
【００２７】
回転体進入部６０は奥行方向に徐々に高さ寸法が小さくなっているので、使用者が回転体５２を回転体進入部６０の奥行側へ進入させていくと、回転体進入部６０の高さ寸法（第１部材２０と第２部材３０との隙間）が回転体５２の厚さ寸法以下になった位置でいわゆるキックバック現象が発生する。キックバック現象が生じると使用者が保持していた回転工具５０は、図６に示すように使用者側（手前側）に弾かれることになる。このように回転工具５０がキックバック現象により回転体進入部６０から弾かれたとしても、弾かれた先には緩衝材シート８０やＬ字型緩衝材シート８２が配設されているため、使用者は怪我をすることなく回転工具５０のキックバック現象を安全に体感することができる。
【００２８】
以上に、本考案における回転工具取り扱い体感装置１００の実施形態について説明をしたが、本考案の技術的範囲は、以上の実施形態に限定されるものではなく、考案の要旨を変更しない範囲において各種の変更を施した構成であっても本考案の技術的範囲に属する。例えば、以上に説明した実施形態における回転工具取り扱い体感装置１００は、第１指示体７２と第２指示体７４からなる回転体進入位置指示体７０について説明しているが、第２指示体７４のみで回転体進入位置指示体７０を構成することもできる。なお、回転体進入位置指示体７０の配設を省略することもできる。
【００２９】
また、本実施形態においては、緩衝材として緩衝材シート８０とＬ字形緩衝材８２とを配設しているが、いずれか一方のみで緩衝材を構成してもよい。
【００３０】
また、以上の実施形態においては、テーブル４０の天板４２の上に第１部材２０とスペーサ１０と第２部材３０とを記載順に並設（積層）した形態について説明しているが、この形態に限定さるものではない。例えば床面に、第１部材２０とスペーサ１０と第２部材３０とを記載順に積層した形態を採用することもできる。このような形態を採用することにより、テーブル４０と緩衝材シート８０およびＬ字型緩衝材シート８２の配設を省略することも可能である。また、第１部材２０とスペーサ１０と第２部材３０とを床面に対して平行ではなく傾斜させた状態で並設することもできる。
【００３１】
また、本実施形態においては、テーブル４０の天板４２の上に天板保護材９０を配設した形態について説明しているが、天板保護材９０の配設を省略することもできる。
【００３２】
そして以上に説明した実施形態や各種変形例を適宜組み合わせた回転工具取り扱い体感装置１００の構成を採用することも可能である。
【符号の説明】
【００３３】
１０  スペーサ，
２０  第１部材，
３０  第２部材，
４０  テーブル，４２  天板，４４  起立部，
５０  回転工具，５２  回転体，
６０  回転体進入部，
７０  回転体進入位置指示体，７２  第１指示体，７４  第２指示体，
８０  緩衝材シート，８２  Ｌ字型緩衝材シート，
９０  天板保護材，
１００  回転工具取り扱い体感装置
【図１】
0003214361.tif 000003
【図２】
0003214361.tif 000004
【図３】
0003214361.tif 000005
【図４】
0003214361.tif 000006
【図５】
0003214361.tif 000007
【図６】
0003214361.tif 000008